(57)【特許請求の範囲】
【請求項１】
商品サンプルや電照板などの広告部を照明する自動販売機の照明装置であって、蛍光灯と、前記蛍光灯を駆動するインバータと、投入された硬貨から金種を読み取り、この金種に応じて識別信号を出力する硬貨処理手段と、前記硬貨処理手段にて出力された識別信号の出力回数を計数し、所定枚数以上の同一金種の硬貨が連続して投入された場合に蛍光灯を明るさの異なる２以上の照度で繰り返し駆動するようインバータに制御信号を出力する制御手段とを備えたことを特徴とする自動販売機の照明装置。
【請求項２】
商品サンプルや電照板などの広告部を照明する自動販売機の照明装置であって、蛍光灯と、前記蛍光灯を駆動するインバータと、投入された硬貨から金種を読み取り、この金種に応じて識別信号を出力する硬貨処理手段と、前記蛍光灯を駆動するためのデータを記憶する記憶手段と、前記硬貨処理手段にて出力された識別信号の出力回数を計数し、所定枚数以上の同一金種の硬貨が連続して投入された場合に記憶手段に記憶されているデータを読み出し、このデータに基づいて蛍光灯を明るさの異なる２以上の照度で繰り返し駆動するようインバータに制御信号を出力する制御手段とを備えたことを特徴とする自動販売機の照明装置。
【請求項３】
商品サンプルや電照板などの広告部を照明する自動販売機の照明装置であって、蛍光灯と、前記蛍光灯を駆動するインバータと、投入された硬貨から金種を読み取り、この金種に応じて識別信号を出力する硬貨処理手段と、前記硬貨処理手段にて出力された識別信号に基づき投入金額を計数し、同一金種の硬貨が連続して投入された場合の投入金額が所定金額以上になると蛍光灯を明るさの異なる２以上の照度で繰り返し駆動するようインバータに制御信号を出力する制御手段とを備えたことを特徴とする自動販売機の照明装置。
【請求項４】
商品サンプルや電照板などの広告部を照明する自動販売機の照明装置であって、蛍光灯と、前記蛍光灯を駆動するインバータと、投入された硬貨から金種を読み取り、この金種に応じて識別信号を出力する硬貨処理手段と、前記蛍光灯を駆動するためのデータを記憶する記憶手段と、前記硬貨処理手段にて出力された識別信号に基づき投入金額を計数し、同一金種の硬貨が連続して投入された場合の投入金額が所定金額以上になると記憶手段に記憶されているデータを読み出し、このデータに基づいて蛍光灯を明るさの異なる２以上の照度で繰り返し駆動するようインバータに制御信号を出力する制御手段とを備えたことを特徴とする自動販売機の照明装置。
【請求項５】
前記所定金額は、あらかじめ設定された購入許可数に商品単価を乗じた金額であることを特徴とする請求項３または４記載の自動販売機の照明装置。
【発明の詳細な説明】
【０００１】
【発明の属する技術分野】
本発明は、インバータにより蛍光灯を駆動する自動販売機の照明装置に関するものであり、特に自動販売機に対する悪戯を報知することができる照明装置に関するものである。
【０００２】
【従来の技術】
自動販売機には、商品とともに現金が収納されており、特に屋外に設置されている場合には、悪戯の対象になりやすい。
【０００３】
例えば、自動販売機の前面扉をこじ開けて、硬貨処理装置の内部に収納されている現金を窃取されることがある。このような悪戯に対しては、前面扉及びロック装置を強化したり、前面扉と本体の間にバールのようなものを差し込まれないようにするなどの対策が講じられているが、完全に防ぐことは困難である。
【０００４】
また、近年外国の硬貨の一部を削り取り、日本の硬貨と重量等を同じにして自動販売機に使用し、釣銭等を窃取するという悪戯が発生している。これに対しては、５００円玉の使用を停止したり、硬貨処理装置の識別性能を向上させて対処することが考えられる。しかし、５００円玉の使用を停止したのでは、販売チャンスを逃してしまうことがあり、また識別性能を向上させたとしても、すべての変造硬貨に対応することはできない。
【０００５】
【発明が解決しようとする課題】
本発明は、上記課題を解決するためになされたものであって、インバータを用いた自動販売機の照明装置において、変造硬貨の使用による金銭の窃取等がされた場合に、これを周囲に報知して悪戯を防止することを目的とする。
【０００６】
【課題を解決するための手段】
請求項１記載の本発明は、商品サンプルや電照板などの広告部を照明する自動販売機の照明装置において、蛍光灯と、前記蛍光灯を駆動するインバータと、投入された硬貨から金種を読み取り、この金種に応じて識別信号を出力する硬貨処理手段と、前記硬貨処理手段にて出力された識別信号の出力回数を計数し、所定枚数以上の同一金種の硬貨が連続して投入された場合に蛍光灯を明るさの異なる２以上の照度で繰り返し駆動するようインバータに制御信号を出力する制御手段とを備えたことを特徴とする。
【０００７】
請求項２記載の本発明は、商品サンプルや電照板などの広告部を照明する自動販売機の照明装置において、蛍光灯と、前記蛍光灯を駆動するインバータと、投入された硬貨から金種を読み取り、この金種に応じて識別信号を出力する硬貨処理手段と、前記蛍光灯を駆動するためのデータを記憶する記憶手段と、前記硬貨処理手段にて出力された識別信号の出力回数を計数し、所定枚数以上の同一金種の硬貨が連続して投入された場合に記憶手段に記憶されているデータを読み出し、このデータに基づいて蛍光灯を明るさの異なる２以上の照度で繰り返し駆動するようインバータに制御信号を出力する制御手段とを備えたことを特徴とする。
【０００８】
請求項３記載の本発明は、商品サンプルや電照板などの広告部を照明する自動販売機の照明装置において、蛍光灯と、前記蛍光灯を駆動するインバータと、投入された硬貨から金種を読み取り、この金種に応じて識別信号を出力する硬貨処理手段と、前記硬貨処理手段にて出力された識別信号に基づき投入金額を計数し、同一金種の硬貨が連続して投入された場合の投入金額が所定金額以上になると蛍光灯を明るさの異なる２以上の照度で繰り返し駆動するようインバータに制御信号を出力する制御手段とを備えたことを特徴とする。
【０００９】
請求項４記載の本発明は、商品サンプルや電照板などの広告部を照明する自動販売機の照明装置において、蛍光灯と、前記蛍光灯を駆動するインバータと、投入された硬貨から金種を読み取り、この金種に応じて識別信号を出力する硬貨処理手段と、前記蛍光灯を駆動するためのデータを記憶する記憶手段と、前記硬貨処理手段にて出力された識別信号に基づき投入金額を計数し、同一金種の硬貨が連続して投入された場合の投入金額が所定金額以上になると記憶手段に記憶されているデータを読み出し、このデータに基づいて蛍光灯を明るさの異なる２以上の照度で繰り返し駆動するようインバータに制御信号を出力する制御手段とを備えたことを特徴とする。
【００１０】
請求項５記載の本発明は、請求項３または４記載の自動販売機の照明装置において、前記所定金額は、あらかじめ設定された購入許可数に商品単価を乗じた金額であることを特徴とする。
【００１１】
【発明の実施の形態】
本発明の実施の形態を図面に基づいて詳細に説明する。なお、各図面において、共通する構成要素については同一の符号を付してある。
【００１２】
図１は、自動販売機の正面図である。図１において、自動販売機１は、図示しない本体と、本体の前面開口を開閉する前面扉２とから構成されている。前面扉２には、商品サンプル（図示せず）を展示する商品展示室３、硬貨を投入するための硬貨投入口４、硬貨投入口４から投入された硬貨の真偽を判別するとともに正貨を収納する硬貨処理装置５、投入した硬貨（正貨）の合計金額を表示する金額表示部６、釣銭等を返却するための返却レバー７、返却レバー７の操作により硬貨を返却する硬貨返却口８、自動販売機１の本体から搬出された商品を取り出す商品取出口９、自動販売機１に衝撃が加えられたことを検出する衝撃検出センサ１０が設けられている。
【００１３】
また商品展示室３の前面には、各商品サンプルに対応した商品選択スイッチ１１が設けられるとともに、商品展示室３の裏面には商品サンプルを照明する蛍光灯１２〜１５が設けられている。蛍光灯１２〜１５は、インバータ回路１７により点灯駆動されるようになっており、インバータ回路１７は、制御装置１６にて出力される制御信号に基づいて制御される。すなわち、インバータ回路１７は、制御装置１６から入力される制御信号により蛍光灯１２〜１５の管電流（放電電流）を変化させて輝度を制御するようになっており、明るく点灯する点灯状態（１００％輝度）または暗く点灯する調光状態（５０％輝度）に切り替えて、蛍光灯１２〜１５を点灯駆動できるようになっている。
【００１４】
図２は、本発明に係る自動販売機の照明装置のブロック図である。図２に示すように、制御装置１６には、インバータ回路１７、商品選択スイッチ１１、衝撃検出センサ１０、返却レバー７、硬貨処理装置５、記憶部１８が接続されている。さらに、インバータ回路１７には、蛍光灯１２〜１５が接続されている。
【００１５】
図１、２において、硬貨処理装置５は、投入された硬貨が正貨であるか否かを判別し、正貨と判断されない場合は、投入された硬貨を硬貨返却口８へ返却するとともに識別データに対応する識別信号を制御装置１６に出力する。一方、正貨と判断された場合は、硬貨処理装置５の内部に設けられた金庫（図示せず）へ収納するとともに、投入硬貨の金種など識別データに応じた識別信号を制御装置１６へ出力する。また、硬貨処理装置５は、硬貨が投入され正貨と判断された後で、返却レバー７が操作されると、これに応じて投入された硬貨の返却を指示する返却信号（以下、「エスクロ信号」と称す。）を制御装置１６に出力するとともに、投入された硬貨と同一金額の硬貨を硬貨返却口８へ返却する。なお、硬貨処理装置５は、硬貨の外形、重量、磁気特性及び表面の凹凸を検出することにより、その真偽を判別するようになっており、すべての条件が満たされたときに正貨と判断する。
【００１６】
また、商品選択スイッチ１１は、商品の選択を検知するものであり、その商品選択信号は制御装置１６に出力される。制御装置１６は、商品選択信号に基づいて、図示しない商品搬出装置を駆動し、自動販売機１の本体に収納されている商品を商品取出口９に搬出するようになっている。
【００１７】
さらに、記憶部１８には、自動販売機に加えられた衝撃、硬貨の投入条件、返却レバー７の操作条件、硬貨の識別データに応じて、それぞれ蛍光灯の点灯パターンのデータが記憶できるようになっている。
【００１８】
図３〜８は、蛍光灯１２〜１５の点灯パターンを示す図であり、各蛍光灯１２〜１５の点灯状態（１００％輝度）および照度を下げた調光状態（５０％輝度）のタイムチャートを示している。
【００１９】
上記構成の自動販売機１の照明装置について、請求項１に係る本発明の実施の形態を説明する。
【００２０】
まず、販売待機状態において、蛍光灯１２〜１５は図３に示すような点灯パターンで点灯されている。すなわち、すべての蛍光灯１２〜１５を点灯状態にして、商品展示室３内の商品サンプルを明るく照らすようになっている（以下、販売待機状態においては、いずれの場合も蛍光灯１２〜１５はすべて点灯状態になっている。）。また、記憶部１８には、あらかじめ自動販売機１に衝撃が加えられた場合に対応する蛍光灯の点灯パターンのデータ（第１のデータ）が記憶されている。
【００２１】
次に、硬貨投入口４から硬貨が投入されると、硬貨処理装置５は、投入された硬貨の真偽を判別し、正貨と判断されると内部に設けられた金庫（図示せず）に収納するとともに、硬貨の識別データに対応した識別信号を制御装置１６に出力する。制御装置１６は、入力した識別信号に基づいて、投入された硬貨の金額を金額表示部６に表示する。そして、投入された硬貨の合計金額が商品価格以上になると、商品選択スイッチ１１に設けられたランプ（図示せず）を点灯させて、商品の販売が可能であることを知らせる。販売可能状態で、商品選択スイッチ１１が押されると、制御装置１６は商品搬出装置を駆動し、当該商品選択スイッチ１１に対応する商品が、自動販売機１の本体から商品取出口９内に搬出される。釣銭がある場合には、その金額が金額表示部６に表示されるようになっており、返却レバー７の操作により、硬貨処理装置５は、釣銭を硬貨返却口８に返却する。それと同時に、エスクロ信号を制御装置１６に出力する。制御装置１６は、エスクロ信号が入力されると、金額表示部６に表示されていた金額表示を消灯させる。
【００２２】
以上の動作は、正常な販売動作であって、蛍光灯１２〜１５は図３に示すようにすべて明るく点灯した状態のままになっている。
【００２３】
しかし、自動販売機１の前面扉２を無理矢理こじ開けようとして衝撃が加えられると、その衝撃を衝撃検出センサ１０にて検出し、衝撃に対応する異常信号を制御装置１６に出力する。制御装置１６では、衝撃検出センサ１０から出力された異常信号に応じて記憶部１８を検索し、衝撃に対応する蛍光灯の点灯パターンのデータ（第１のデータ）を読み出し、第１のデータに基づいて制御信号をインバータ回路１７に出力する。インバータ回路１７は、制御信号に基づいて蛍光灯１２〜１５を図４に示すような点灯パターンで点灯するように駆動する。すなわち、蛍光灯１３、１４を調光状態すなわち照度を下げた状態に固定し、１２、１５を交互に点灯状態と調光状態とを切り替えるように駆動する。このような点灯パターンで商品展示室３内を照明することにより、自動販売機１に衝撃が加えられていることを周囲に報知することができる。
【００２４】
記憶部１８には、あらかじめ５００円玉の連続投入許可数が５個に設定されており、５００円玉が連続して５個以上投入された場合の蛍光灯の点灯パターンのデータ（第２のデータ）が記憶されている。
【００２５】
硬貨投入口４から５００円玉が投入されると、硬貨処理装置５にて真偽が判別され、正貨と判断されると識別信号を制御装置１６に出力する。制御装置１６は、識別信号に基づいて記憶部１８を検索する。この場合、投入された５００円玉は１個であるから、これに対応する蛍光灯の点灯パターンのデータは記憶されていない。したがって、制御装置１６からインバータ回路１７へは、制御信号を出力せず、蛍光灯１２〜１５の点灯パターンは図３に示す状態のままである。しかし、５００円玉が５個連続して投入された場合、制御装置１６は、記憶部１８からこのような投入条件に対応する蛍光灯の点灯パターンのデータ（第２のデータ）を読み出し、第２のデータに基づいて制御信号をインバータ回路１７に出力する。インバータ回路１７は、制御信号に基づいて図５に示す点灯パターンで蛍光灯１２〜１５を点灯駆動し、異常な条件で硬貨が投入されたことを自動販売機１の周囲に報知する。なお、この場合は５００円玉を投入した後、商品の購入あるいは返却レバー７の操作に係わらず蛍光灯１２〜１５の点灯パターンを変更する。
【００２６】
本発明の実施の形態では、記憶部１８に、あらかじめ５００円玉の連続投入許可数を５個に設定し、５００円玉が連続して５個以上投入された場合の蛍光灯の点灯パターンのデータを記憶するものであるが、本発明はこのような形態に限定されるものではない。すなわち、記憶部１８に、１０円玉、５０ 円玉、１００円玉それぞれの連続投入許可数を設定しておき、同一金種の硬貨が連続して投入された場合の蛍光灯の点灯パターンのデータをそれぞれ記憶させておき、同一金種の硬貨が連続して投入された場合に蛍光灯の点灯パターンを変更するようにしてもよい。
【００２７】
また記憶部１８には、あらかじめ設定された購入許可数を商品単価に乗じた金額以上の硬貨を同一金種で投入したときに対応する蛍光灯の点灯パターンのデータを記憶してもよい。すなわち、記憶部１８には、あらかじめ購入許可数を５個に設定しておき、商品単価が１２０円の場合には、同一金種の硬貨が６００円以上連続して投入された場合の蛍光灯の点灯パターンのデータを記憶しておく。そして、５００円玉が２個以上、１００円玉が６枚以上、５０円玉が１２枚以上、１０円玉が６０枚以上のように同一金種の硬貨が連続して投入された場合、蛍光灯１２〜１５の点灯パターンを変更してもよい。
【００２８】
記憶部１８には、５００円玉を投入し、返却レバー７を操作して５００円玉を返却するという動作が１分間に２回連続してされた場合の蛍光灯の点灯パターンのデータ（第３のデータ）が設定されている。さらに、その後１分以内に５００円玉の投入・返却がされた場合の蛍光灯の点灯パターンのデータ（第４のデータ）が記憶されている。
【００２９】
まず、硬貨投入口４から５００円玉が投入されると、硬貨処理装置５にてその真偽を判別する。正貨と判断されない場合には、これを硬貨返却口８に返却する。一方、正貨と判断された場合にはこれを硬貨処理装置５の内部に設けられた金庫に収納するとともに、金額表示部６に「￥５００」と表示する。これにより、自動販売機１による商品の販売が可能な状態になる。この状態で、商品選択スイッチ１１が押されると、商品選択信号が制御装置１６に出力され、制御装置１６は、商品選択信号に基づいて商品搬送装置（図示せず）を駆動して当該商品選択スイッチ１１に対応した商品を商品取出口９に搬出する。そして、５００円から購入した商品の価格を差し引いた金額が金額表示部６に表示される。例えば、１２０円の商品を購入した場合には、金額表示部６には「￥３８０」と表示されることになる。さらに、返却レバー７を操作することによって、釣銭（３８０円）が硬貨返却口８に返却される。以上の動作中において、硬貨処理装置５から制御装置１６に、識別信号及びエスクロ信号が送出されるが、これらに対応する蛍光灯の点灯パターンのデータは記憶部１８に記憶されていないため、蛍光灯１２〜１５は図３に示すようにすべて点灯した状態のままになっている。
【００３０】
また、一旦５００円玉を投入した後で、商品の購入を思いとどまり、返却レバー７を操作して投入した硬貨を返却する場合がある。この場合も、このような操作に対応する蛍光灯の点灯パターンのデータは記憶部１８には記憶されていないため、蛍光灯１２〜１５は、すべて点灯状態になっている（図３）。
【００３１】
しかし、５００円玉を投入し返却レバー７の操作して５００円玉を返却し、その後１分以内に５００円玉を投入し返却レバー７の操作を行った場合には、硬貨処理装置５から出力される識別信号及びエスクロ信号に基づき、制御装置１６は、記憶部１８から、このような操作に対応する蛍光灯の点灯パターンのデータ（第３のデータ）を読み出す。インバータ回路１７は、第３のデータに基づき出力される制御信号により、図５に示す点灯パターンで蛍光灯１２〜１５を点灯駆動する。すなわち、蛍光灯１２〜１５を同時に点灯状態と調光状態とを繰り返すように駆動して、異常な操作がされたことを周囲に報知する。
【００３２】
さらに、上記の５００円玉の投入・返却レバー７の操作がなされた後、１分以内に同様の操作がされると、制御装置１６は、このような操作に対応したデータ（第４のデータ）を記憶部１８から読み出し、第４のデータに基づいて制御信号をインバータ回路１７に出力する。インバータ回路１７は、制御信号に基づいて、蛍光灯１２〜１５を、図６に示すように短い周期で点灯状態と調光状態とを繰り返すように点灯駆動して、悪質な悪戯がされたことを報知する。
【００３３】
記憶部１８には、硬貨処理装置５に投入された硬貨が、１０円玉、５０円玉、１００円玉または５００円玉と外形、重量及び磁気特性が同一であって、表面の凹凸のみが異なる場合に対応した蛍光灯の点灯パターンのデータ（第５のデータ）が記憶されている。また、このような硬貨が連続して投入された場合に対応した蛍光灯の点灯パターンのデータ（第６のデータ）が記憶されている。
【００３４】
まず、硬貨投入口４から１００円玉を２個投入され、硬貨処理装置５にて正貨と判断された場合には内部の金庫に収納するとともに、識別信号を制御装置１６に出力する。識別信号に基づいて、制御装置１６は、金額表示部６に投入金額を表示する。すなわち、金額表示部６には、「￥２００」と表示される。このような販売可能状態で、商品選択スイッチ１１を押すと、商品選択信号が制御装置１６に出力され、制御装置１６は、商品選択信号に基づいて商品搬送装置を駆動し、当該商品選択スイッチ１１に対応した商品が商品取出口９に搬出される。そして、投入金額の２００円から購入した商品の価格を差し引いた金額が金額表示部６に表示される。例えば、１２０円の商品を購入した場合には、金額表示部６には「￥８０」と表示されることになる。そして、返却レバー７を操作することによって、釣銭（８０円）が硬貨返却口８に返却される。
【００３５】
一方、１００円玉を２個連続して投入すると、最初に投入された硬貨は正貨と判断されて硬貨処理装置５の金庫に収納されるが、次の１００円玉は硬貨処理装置５にて検出する磁気特性が正貨と異なり正貨とは判断されず、硬貨返却口４に返却されることになる。また、誤って１円玉または５円玉が投入された場合には、正貨（１０円玉、５０円玉、１００円玉、５００円玉）と外形、重量及び磁気特性において異なるため正貨とは判断されず、硬貨返却口４に返却される。以上の動作中において、硬貨処理装置５から制御装置１６に識別信号が出力されるが、磁気特性の異常などの場合に対応する蛍光灯の点灯パターンのデータは記憶部１８には記憶されていないため、制御装置１６からインバータ回路１７に制御信号は送出されない。すなわち、蛍光灯１２〜１５は図３に示すようにすべて点灯した状態のままになっている。
【００３６】
しかし、外国硬貨の一部を削り取り５００円玉と外形、重量及び磁気特性を同じにしたものが投入された場合には、硬貨処理装置５にて読み取った識別データは正貨（５００円玉）と表面の凹凸のみが異なるため正貨とは判断されず、これを硬貨返却口８に返却する。また、硬貨処理装置５は、制御装置１６に識別信号を送出する。硬貨処理装置５から入力された識別信号に基づいて制御装置１６は、記憶部１８を検索し、識別信号に対応した蛍光灯の点灯パターンのデータ（第５のデータ）を読み出す。制御装置１６は、第５のデータに基づきインバータ回路１７に制御信号を出力し、インバータ回路１７は、図７に示す点灯パターンで蛍光灯１２〜１５を点灯駆動する。すなわち、上部の蛍光灯１２、１３と、下部の蛍光灯１４、１５とを交互に点灯状態と調光状態を切り替えるように駆動して、商品展示室３の上下を交互に明るく照明することにより、変造硬貨が使用されたことを報知する。
【００３７】
さらに同様の行為が連続してされると、識別信号に基づき制御装置１６は記憶部１８からこれに対応する蛍光灯の点灯パターンのデータ（第６のデータ）を読み出し、第６のデータに基づいて制御信号をインバータ回路１７に出力する。インバータ回路１７は、図８に示すように蛍光灯１２〜１６を、点灯状態と調光状態の周期を短くするように駆動して、変造硬貨が連続して使用されていることを報知する。
【００３８】
本実施の形態では、記憶部１８に正貨と外形、重量及び磁気特性が同一で、表面の凹凸のみが異なる場合に対応した蛍光灯の点灯パターンのデータを記憶しておき、外国の硬貨を変造した、いわゆる変造硬貨が使用された場合に蛍光灯を点灯状態と調光状態との切り替えるように駆動するものであるが、本発明はこのような形態に限られるものではない。例えば、記憶部１８は、他の識別データが異なる場合に対応した蛍光灯の点灯パターンのデータを記憶するようにしてもよい。
【００３９】
【発明の効果】
請求項１記載の本発明によれば、商品サンプルや電照板などの広告部を照明する自動販売機の照明装置において、蛍光灯と、前記蛍光灯を駆動するインバータと、投入された硬貨から金種を読み取り、この金種に応じて識別信号を出力する硬貨処理手段と、前記蛍光灯を駆動するためのデータを記憶する記憶手段と、前記硬貨処理手段にて出力された識別信号の出力回数を計数し、所定枚数以上の同一金種の硬貨が連続して投入された場合に記憶手段に記憶されているデータを読み出し、このデータに基づいて蛍光灯を明るさの異なる２以上の照度で繰り返し駆動するようインバータに制御信号を出力する制御手段とを備えたので、変造硬貨が連続して使用されるのを防止することができるという効果がある。
【００４０】
請求項２記載の本発明によれば、商品サンプルや電照板などの広告部を照明する自動販売機の照明装置において、蛍光灯と、前記蛍光灯を駆動するインバータと、投入された硬貨から金種を読み取り、この金種に応じて識別信号を出力する硬貨処理手段と、前記硬貨処理手段にて出力された識別信号に基づき投入金額を計数し、同一金種の硬貨が連続して投入された場合の投入金額が所定金額以上になると蛍光灯を明るさの異なる２ 以上の照度で繰り返し駆動するようインバータに制御信号を出力する制御手段とを備えたので、変造硬貨が連続して使用されるのを防止することができるという効果がある。
【００４１】
請求項３記載の本発明によれば、商品サンプルや電照板などの広告部を照明する自動販売機の照明装置において、蛍光灯と、前記蛍光灯を駆動するインバータと、投入された硬貨から金種を読み取り、この金種に応じて識別信号を出力する硬貨処理手段と、前記硬貨処理手段にて出力された識別信号に基づき投入金額を計数し、同一金種の硬貨が連続して投入された場合の投入金額が所定金額以上になると蛍光灯を明るさの異なる２以上の照度で繰り返し駆動するようインバータに制御信号を出力する制御手段とを備えたので、変造硬貨が連続して使用されるのを防止することができるという効果がある。
【００４２】
請求項４記載の本発明によれば、商品サンプルや電照板などの広告部を照明する自動販売機の照明装置において、蛍光灯と、前記蛍光灯を駆動するインバータと、投入された硬貨から金種を読み取り、この金種に応じて識別信号を出力する硬貨処理手段と、前記蛍光灯を駆動するためのデータを記憶する記憶手段と、前記硬貨処理手段にて出力された識別信号に基づき投入金額を計数し、同一金種の硬貨が連続して投入された場合の投入金額が所定金額以上になると記憶手段に記憶されているデータを読み出し、このデータに基づいて蛍光灯を明るさの異なる２以上の照度で繰り返し駆動するようインバータに制御信号を出力する制御手段とを備えたので、変造硬貨が連続して使用されるのを防止することができるという効果がある。
【００４３】
請求項５記載の本発明によれば、請求項３または４記載の自動販売機の照明装置において、前記所定金額は、あらかじめ設定された購入許可数に商品単価を乗じた金額としたので、上記請求項３または４記載の発明と同様の効果を奏するとともに、販売する商品の価格に応じて上記所定金額を設定することができるという効果がある。
【図面の簡単な説明】
【図１】自動販売機の正面図である。
【図２】本発明の一実施の形態に係る自動販売機の照明装置のブロック図である。
【図３】蛍光灯１３〜１６の点灯状態（１００％照度）、調光状態（５０％照度）のタイミングチャートである。
【図４】蛍光灯１３〜１６の点灯状態（１００％照度）、調光状態（５０％照度）のタイミングチャートである。
【図５】蛍光灯１３〜１６の点灯状態（１００％照度）、調光状態（５０％照度）のタイミングチャートである。
【図６】蛍光灯１３〜１６の点灯状態（１００％照度）、調光状態（５０％照度）のタイミングチャートである。
【図７】蛍光灯１３〜１６の点灯状態（１００％照度）、調光状態（５０％照度）のタイミングチャートである。
【図８】蛍光灯１３〜１６の点灯状態（１００％照度）、調光状態（５０％照度）のタイミングチャートである。
【図９】蛍光灯１３〜１６の点灯状態（１００％照度）、調光状態（５０％照度）のタイミングチャートである。
【符号の説明】
１ 自動販売機
３ 商品展示室
５ 硬貨処理装置
７ 返却レバー
１０ 衝撃検出センサ
１２ 蛍光灯
１３ 蛍光灯
１４ 蛍光灯
１５ 蛍光灯
１６ 制御装置
１７ インバータ回路
１８ 記憶部
【図１】
0003800894.tif 000002
【図２】
0003800894.tif 000003
【図３】
0003800894.tif 000004
【図４】
0003800894.tif 000005
【図５】
0003800894.tif 000006
【図６】
0003800894.tif 000007
【図７】
0003800894.tif 000008
【図８】
0003800894.tif 000009
【図９】
0003800894.tif 000010